(57)【要約】本発明の実施形態は、電子情報技術の分野に属し、ＳＩＭカードがカードホルダから取り外される場合に焼損する傾向があるという先行技術の問題を解消する電子デバイス及び電子デバイスのスマートカード接続回路を開示する。スマートカード接続回路は、カードホルダ、トラベルスイッチ及びスイッチングユニットを有し、カードホルダ上の電力ケーブルピン及び夫々の信号ケーブルピンはスイッチングユニットの入力端で対応するインターフェースへ接続され、トラベルスイッチの接点はカードホルダに位置し、トラベルスイッチの出力端はスイッチングユニットの制御端へ接続され、カードホルダにおいてプリセット位置にあるスマートカードがプリセット位置から離れる場合に、スマートカードはトラベルスイッチの接点から離れ、トラベルスイッチは、第２の出力端へ切り替わるようスイッチングユニットを制御し、カードホルダ上の夫々の信号ケーブルピンは、カードホルダ上の電力ケーブルピンがスイッチングユニットによって接地される前に、スイッチングユニットによって接地される。本発明は、携帯電話機及びタブレットコンピュータのような電子デバイスに適用される。
2015522234.tif 000002
【特許請求の範囲】
【請求項１】
電子デバイスのスマートカード接続回路であって、
カードホルダ、トラベルスイッチ及びスイッチングユニットを有し、
前記カードホルダ上の電力ケーブルピン及び夫々の信号ケーブルピンは、前記スイッチングユニットの入力端で対応するインターフェースへ接続され、
前記トラベルスイッチの接点は、前記カードホルダに位置し、前記トラベルスイッチの出力端は、前記スイッチングユニットの制御端へ接続され、
前記カードホルダにおいてプリセット位置にあるスマートカードが前記プリセット位置から離れる場合に、前記スマートカードは、前記トラベルスイッチの前記接点から離れ、前記トラベルスイッチは、第２の出力端へ切り替わるよう前記スイッチングユニットを制御し、前記カードホルダ上の夫々の信号ケーブルピンは、前記カードホルダ上の前記電力ケーブルピンが前記スイッチングユニットによって接地される前に、前記スイッチングユニットによって接地される、
スマートカード接続回路。
【請求項２】
前記カードホルダにおける前記プリセット位置にスマートカードがある場合に、該スマートカードは、前記トラベルスイッチの前記接点に触れ、前記トラベルスイッチは、第１の出力端へ切り替わるよう前記スイッチングユニットを制御し、前記カードホルダ上の前記電力ケーブルピン及び夫々の信号ケーブルピンは、前記スイッチングユニットによって前記電子デバイスのモデムへ接続される、
請求項１に記載のスマートカード接続回路。
【請求項３】
前記第２の出力端で、第１の抵抗は、前記カードホルダ上の夫々の信号ケーブルピンと接地ケーブルとの間に直列に接続され、第２の抵抗は、前記カードホルダ上の前記電力ケーブルピンと前記接地ケーブルとの間に直列に接続され、前記第１の抵抗の抵抗値は、前記第２の抵抗の抵抗値よりも小さい、
請求項１に記載のスマートカード接続回路。
【請求項４】
前記トラベルスイッチの前記出力端は更に、前記モデムの汎用入力／出力ＧＰＩＯインターフェースへ接続される、
請求項１乃至３のうちいずれか一項に記載のスマートカード接続回路。
【請求項５】
前記トラベルスイッチの前記出力端は更に、前記電子デバイスのアプリケーションプロセッサのＧＰＩＯインターフェースへ接続される、
請求項４に記載のスマートカード接続回路。
【請求項６】
前記トラベルスイッチの前記出力端は、位相インバータによって、前記モデムのＧＰＩＯインターフェースへ及び前記アプリケーションプロセッサのＧＰＩＯインターフェースへ接続される、
請求項５に記載のスマートカード接続回路。
【請求項７】
前記トラベルスイッチにおいて、前記出力端は、プルアップ抵抗によって高位電圧へ接続され、前記出力端は更に、前記接点によって接地され、
前記接点が開かれている場合に、前記トラベルスイッチは高位電圧を出力し、
前記接点が閉じられている場合に、前記トラベルスイッチは低位電圧を出力する、
請求項１乃至６のうちいずれか一項に記載のスマートカード接続回路。
【請求項８】
前記トラベルスイッチの前記出力端は、フィルタリングユニットへ接続される、
請求項７に記載のスマートカード接続回路。
【請求項９】
前記スイッチングユニットは、ロジック回路であり、前記カードホルダ上の夫々のピンは、前記スイッチングユニットの前記入力端にある夫々の対応するピンへ接続される、
請求項１乃至８のうちいずれか一項に記載のスマートカード接続回路。
【請求項１０】
前記スマートカードは、加入者識別モジュールＳＩＭカードである、
請求項１乃至９のうちいずれか一項に記載のスマートカード接続回路。
【請求項１１】
請求項１乃至１０のうちいずれか一項に記載のスマートカード接続回路を有する電子デバイス。
【請求項１２】
前記電子デバイスは、携帯電話機又はタブレットコンピュータである、
請求項１１に記載の電子デバイス。
【発明の詳細な説明】
【技術分野】
【０００１】
本願は、“SMART  CARD  CONNECTION  CIRCUIT  OF  ELECTRONIC  DEVICE  AND  ELECTRONIC  DEVICE”と題されて２０１３年１月７日付けで中国特許庁に出願された中国特許出願第２０１３１０００５０１２．９号に基づく優先権を主張するものである。
【０００２】
本発明は、電子情報技術の分野に係り、特に、電子デバイスのスマートカード接続回路、及びスマートカード接続回路が配置される電子デバイスに係る。
【背景技術】
【０００３】
エレクトロニクス技術の持続的な発展により、携帯電話機及びタブレットコンピュータのような電子デバイスは、人々の日々の生活において一般的なコミュニケーションツールになりつつある。一例として携帯電話機を用いると、加入者識別モジュール（Subscriber  Identity  Module，ＳＩＭ）カードは、携帯電話機における重要なコンポーネントであり、携帯電話機内のカードホルダに差し込まれる。ＳＩＭカードには、電力ケーブル、接地ケーブル及び夫々の信号ケーブルへ接続するために使用される接点シートが配置されている。ＳＩＭカードがカードホルダに差し込まれる場合に、それらの接点シートは、カードホルダ上の対応するピンへ電気的に接続され、更には、カードホルダによって携帯電話機のモデム（ＭＯＤＥＭ）へ接続される。
【０００４】
ＳＩＭカード上の夫々の接点シートのための正常な電力遮断シーケンスは、電力ケーブルが電源オフされる前に、夫々の信号ケーブルが電源オフされる。しかしながら、ユーザが携帯電話機を使用する過程において、ＳＩＭカードは、携帯電話機がオフされない場合において挿入又は取り外しされることがあり、あるいは、ＳＩＭカードは、携帯電話機が予期せず落下する場合にカードホルダから外れることがある。これは、ＳＩＭカードを正常なシーケンスに従わずに容易に電源オフし、それによりＳＩＭカードを焼損させる。加えて、携帯電話機の研究開発の過程において、特に、携帯電話機の落下試験の工程において、ＳＩＭカードはやはりカードホルダから外れることがあり、ＳＩＭカードが焼損する。従って、ＳＩＭカードがカードホルダから取り外される場合に焼損する傾向があるという先行技術の問題が存在する。
【発明の概要】
【発明が解決しようとする課題】
【０００５】
本発明の実施形態は、ＳＩＭカードがカードホルダから取り外される場合に焼損する傾向があるという先行技術の問題を解消するために、電子デバイスのスマートカード接続回路、及びスマートカード接続回路が配置される電子デバイスを提供する。
【課題を解決するための手段】
【０００６】
前述の目的を達成するよう、本発明の実施形態においては、下記の技術的解決法が採用される。
【０００７】
一態様に従って、本発明は、電子デバイスのスマートカード接続回路であって、カードホルダ、トラベルスイッチ及びスイッチングユニットを有し、
前記カードホルダ上の電力ケーブルピン及び夫々の信号ケーブルピンは、前記スイッチングユニットの入力端で対応するインターフェースへ接続され、
前記トラベルスイッチの接点は、前記カードホルダに位置し、前記トラベルスイッチの出力端は、前記スイッチングユニットの制御端へ接続され、
前記カードホルダにおいてプリセット位置にあるスマートカードが前記プリセット位置から離れる場合に、前記スマートカードは、前記トラベルスイッチの前記接点から離れ、前記トラベルスイッチは、第２の出力端へ切り替わるよう前記スイッチングユニットを制御し、前記カードホルダ上の夫々の信号ケーブルピンは、前記カードホルダ上の前記電力ケーブルピンが前記スイッチングユニットによって接地される前に、前記スイッチングユニットによって接地される、
スマートカード接続回路を提供する。
【０００８】
第１のとり得る実施様態において、前記カードホルダにおける前記プリセット位置にスマートカードがある場合に、該スマートカードは、前記トラベルスイッチの前記接点に触れ、前記トラベルスイッチは、第１の出力端へ切り替わるよう前記スイッチングユニットを制御し、前記カードホルダ上の前記電力ケーブルピン及び夫々の信号ケーブルピンは、前記スイッチングユニットによって前記電子デバイスのモデム（ＭＯＤＥＭ）へ接続される。
【０００９】
第１のとり得る実施様態を参照して、第２のとり得る実施様態において、前記第２の出力端で、第１の抵抗は、前記カードホルダ上の夫々の信号ケーブルピンと接地ケーブルとの間に直列に接続され、第２の抵抗は、前記カードホルダ上の前記電力ケーブルピンと前記接地ケーブルとの間に直列に接続され、前記第１の抵抗の抵抗値は、前記第２の抵抗の抵抗値よりも小さい。
【００１０】
第１又は第２のとり得る実施様態を参照して、第３のとり得る実施様態において、前記トラベルスイッチの前記出力端は更に、前記モデムのＧＰＩＯインターフェースへ接続される。
【００１１】
第３のとり得る実施様態を参照して、第４のとり得る実施様態において、前記トラベルスイッチの前記出力端は更に、前記電子デバイスのアプリケーションプロセッサのＧＰＩＯインターフェースへ接続される。
【００１２】
第４のとり得る実施様態を参照して、第５のとり得る実施様態において、前記トラベルスイッチの前記出力端は、位相インバータによって、前記モデムのＧＰＩＯインターフェースへ及び前記アプリケーションプロセッサのＧＰＩＯインターフェースへ接続される。
【００１３】
第１乃至第５のとり得る実施様態のうちいずれか１つを参照して、第６のとり得る実施様態において、前記トラベルスイッチにおいて、前記出力端は、プルアップ抵抗によって高位電圧へ接続され、前記出力端は更に、前記接点によって接地され、
前記接点が開かれている場合に、前記トラベルスイッチは高位電圧を出力し、
前記接点が閉じられている場合に、前記トラベルスイッチは低位電圧を出力する。
【００１４】
第６のとり得る実施様態を参照して、第７のとり得る実施様態において、前記トラベルスイッチの前記出力端は、フィルタリングユニットへ接続される。
【００１５】
第１乃至第７のとり得る実施様態のうちいずれか１つを参照して、第８のとり得る実施様態において、前記スイッチングユニットは、ロジック回路であり、前記カードホルダ上の夫々のピンは、前記スイッチングユニットの前記入力端にある夫々の対応するピンへ接続される。
【００１６】
第１乃至第８のとり得る実施様態のうちいずれか１つを参照して、第９のとり得る実施様態において、前記スマートカードは、加入者識別モジュールＳＩＭ（Subscriber  Identity  Module，ＳＩＭ）カードである。
【００１７】
他の態様に従って、本発明は更に、前述の実施様態のうちいずれか１つに従うスマートカード接続回路を有する電子デバイスを提供する。
【００１８】
第１のとり得る実施様態において、前記電子デバイスは、携帯電話機又はタブレットコンピュータ（パッド）である。
【００１９】
先行技術と比較して、本発明によって提供される前述の技術的解決法は、次の利点を有する。標準的に、スマートカードは、カードホルダにおいてプリセット位置に位置し、トラベルスイッチの接点に触れ、トラベルスイッチは、第１の出力端へ切り替わるようスイッチングユニットを制御し、スマートカード上の夫々の接点シートは、カードホルダ上の対応するピン及びスイッチングユニットによってＭＯＤＥＭへ接続される。
【００２０】
電子デバイスがオフされていない場合においてスマートカードがカードホルダから取り外される場合に、又は落下といった様々な理由によりスマートカードがカードホルダから外れる場合に、スマートカードは、カードホルダにおけるプリセット位置から離れるが、スマートカード上の夫々の接点シートは、カードホルダ上の対応するピンへ電気的に接続されたままである。この場合において、トラベルスイッチの接点は、その元の位置へ戻っており、トラベルスイッチは、第２の出力端へ切り替わるようスイッチングユニットを制御する。スマートカード上の夫々の信号ケーブルの接点シートは、スマートカード上の電力ケーブルの接点シートがカードホルダ及びスイッチングユニットによって接地される前に、カードホルダ及びスイッチングユニットによって接地される。このように、スマートカード上の夫々の接点シートは、正常なシーケンスにおいて電源オフされることが可能であり、それにより、スマートカードがカードホルダから取り外される場合に焼損することを防いで、ＳＩＭカードがカードホルダから取り外される場合に焼損する傾向があるという先行技術の技術的問題を解消する。
【図面の簡単な説明】
【００２１】
本発明の実施形態における技術的解決法をより明りょうに記載するよう、下記は、実施形態を記載するのに必要とされる添付の図面を簡単に紹介する。明らかに、下記の記載における添付の図面は、ただ単に本発明の幾つかの実施形態を示し、当業者は、創造的な取り組みによらずにそれらの添付の図面から更に他の図面を導出することができる。
【００２２】
【図１】本発明の実施形態１に従うスマートカード接続回路の概略図である。
【００２３】
【図２】本発明の実施形態２に従うスマートカード接続回路の概略図である。
【００２４】
【図３】本発明の実施形態２に従うスマートカード接続回路の他の概略図である。
【００２５】
【図４】本発明の実施形態３に従う電子デバイスの概略図である。
【発明を実施するための形態】
【００２６】
下記は、本発明の実施形態における添付の図面を参照して、本発明の実施形態における技術的解決法を明りょうに且つ完全に記載する。明らかに、記載される実施形態は、本発明の実施形態の全てというよりむしろ一部にすぎない。創造的な取り組みによらずに本発明の実施形態に基づき当業者によって獲得される全ての他の実施形態は、本発明の保護範囲内にあるべきである。
［実施形態１］
【００２７】
図１に示されるように、本発明のこの実施形態によって提供される電子デバイスのスマートカード接続回路は、携帯電話機又はタブレットコンピュータ（パッド）のような電子デバイスへ適用されてよい。この実施形態は、一例として携帯電話機におけるＳＩＭカードを用いることによって記載される。ＳＩＭカード接続回路は、カードホルダ、トラベルスイッチ及びスイッチングユニットを含む。スイッチングユニットは、右側にある入力端と、第１の出力端が携帯電話機のモデム（ＭＯＤＥＭ）であり且つ第２の出力端が接地端子である左側にある２つの出力端とを備えた４つの同期式単極双投スイッチと等価である。
【００２８】
カードホルダ上の電力ケーブルピンＶＳＩＭ及び夫々の信号ケーブルピン（リセット信号ケーブルピンＲＳＴ、クロック信号ケーブルピンＣＬＫ、及びデータケーブルピンＤＡＴを含む。）は、スイッチングユニットの入力端で対応するインターフェースへ接続され、トラベルスイッチの接点は、カードホルダに位置し、トラベルスイッチの出力端は、スイッチングユニットの制御端ＳＥＬへ接続される。
【００２９】
カードホルダにおけるプリセット位置にＳＩＭカードがある場合に、ＳＩＭカードは、トラベルスイッチの接点に触れ、トラベルスイッチは、第１の出力端１ＶＳＩＭ、１ＲＳＴ、１ＣＬＫ及び１ＤＡＴへ切り替わるようスイッチングユニットを制御し、カードホルダ上の電力ケーブルピン及び夫々の信号ケーブルピンは、スイッチングユニットによって携帯電話機のＭＯＤＥＭへ接続される。
【００３０】
カードホルダにおいてプリセット位置にあるＳＩＭカードがプリセット位置から離れる場合に、ＳＩＭカードは、トラベルスイッチの接点がその元の位置へ戻るようにトラベルスイッチの接点から離れ、トラベルスイッチは、第２の出力端２ＶＳＩＭ、２ＲＳＴ、２ＣＬＫ及び２ＤＡＴへ切り替わるようスイッチングユニットを制御し、カードホルダ上の夫々の信号ケーブルピンは、カードホルダ上の電力ケーブルピンがスイッチングユニットによって接地される前に、スイッチングユニットによって接地される。
【００３１】
標準的に、ＳＩＭカードは、カードホルダにおいてプリセット位置に位置し、トラベルスイッチの接点に触れ、トラベルスイッチは、第１の出力端へ切り替わるようスイッチングユニットを制御し、ＳＩＭカード上の夫々の接点シートは、カードホルダ上の対応するピン及びスイッチングユニットによってＭＯＤＥＭへ接続される。
【００３２】
携帯電話機がオフされていない場合においてＳＩＭカードがカードホルダから取り外される場合に、又は落下といった様々な理由によりＳＩＭカードがカードホルダから外れる場合に、ＳＩＭカードは、カードホルダにおけるプリセット位置から離れるが、ＳＩＭカード上の夫々の接点シートは、カードホルダ上の対応するピンへ電気的に接続されたままである。この場合において、トラベルスイッチの接点は、その元の位置へ戻っており、トラベルスイッチは、第２の出力端へ切り替わるようスイッチングユニットを制御する。ＳＩＭカード上の夫々の信号ケーブルの接点シートは、ＳＩＭカード上の電力ケーブルの接点シートがカードホルダ及びスイッチングユニットによって接地される前に、カードホルダ及びスイッチングユニットによって接地される。このように、ＳＩＭカード上の夫々の接点シートは、正常なシーケンスにおいて電源オフされることが可能であり、それにより、スマートカードがカードホルダから取り外される場合に焼損することを防いで、ＳＩＭカードがカードホルダから取り外される場合に焼損する傾向があるという先行技術の技術的問題を解消する。
【００３３】
カードホルダにおけるプリセット位置は、ＳＩＭカードがその範囲内でトラベルスイッチの接点に触れることができる限り、特定の範囲として設定されてよい点が留意されるべきである。このように、ＳＩＭカードは、特定の範囲の正常なゆるみを有してよく、ＳＩＭカードがわずかにゆるめられる場合にＳＩＭカードを電源オフさせるほどトラベルスイッチの接点が敏感すぎることを防ぐ。
【００３４】
この実施形態において、スイッチングユニットは、ロジック回路であり、カードホルダ上のＶＳＩＭ、ＲＳＴ、ＣＬＫ及びＤＡＴピンは、スイッチングユニットの入力端で対応するピンへ接続される。スイッチングユニットの第２の出力端では、第１の抵抗Ｒ１が、信号ケーブルピン２ＲＳＴ、２ＣＬＫ及び２ＤＡＴの夫々と接地ケーブルとの間に直列に接続されており、第２の抵抗Ｒ２が、電力ケーブルピン２ＶＳＩＭと接地ケーブルとの間に直列に接続されており、Ｒ１の抵抗値は、Ｒ２の抵抗の抵抗値よりも小さい。一般に、Ｒ１及びＲ２の抵抗値は、１〜１０ｋΩの間で選択されてよく、Ｒ２の抵抗値は、Ｒ１の抵抗値の５倍である。従って、スイッチングユニットが第２の出力端へ切り替わる場合に、それは、スイッチングユニットの内部において、４つの単極双投スイッチが第２の出力端へ同時に切り替わることと等価であり、一方、第２の出力端と接地ケーブルとの間では、Ｒ１の抵抗値がＲ２の抵抗値よりも小さいために、信号ケーブルピン２ＲＳＴ，２ＣＬＫ及び２ＤＡＴの夫々が電力ケーブルピン２ＶＳＩＭよりも前に接地されることが実施可能であり、それにより、ＳＩＭカード上の夫々の接点シートは正しいシーケンスにおいて電源オフされる。
【００３５】
他の実施形態では、Ｒ１及びＲ２はまた、キャパシタ又は遅延器のような他の部品によって置換され、２ＲＳＴ、２ＣＬＫ及び２ＤＡＴが２ＶＳＩＭより前に接地されることを可能にするために、適切なパラメータへ調整されてよい。また、スイッチングユニットにおいて、２ＲＳＴ、２ＣＬＫ、２ＤＡＴ及び２ＶＳＩＭは、２ＶＳＩＭが接地される前に２ＲＳＴ、２ＣＬＫ及び２ＤＡＴが接地されることを実施するために、別々に且つ独立して制御されることがあってよい。
【００３６】
本発明のこの実施形態では、入力端、第１の出力端及び第２の出力端は、全てが双方向に信号を送信することができ、信号の具体的な送信方向は制限されない点が留意されるべきである。
［実施形態２］
【００３７】
図２及び図３に示されるように、実施形態１に基づくこの実施形態において、トラベルスイッチの出力端は更に、ＭＯＤＥＭの汎用入力／出力（General  Purpose  Input  Output，ＧＰＩＯ）へ接続され、それにより、ＭＯＤＥＭは、ＳＩＭカードが適所（カードホルダにおけるプリセット位置）にあるかどうかを決定することができる。
【００３８】
更に、トラベルスイッチの出力端は更に、携帯電話機のアプリケーションプロセッサ（application  processor，ＡＰ）のＧＰＩＯインターフェースへ接続され、それにより、ＡＰは、ＳＩＭカードが適所にあるかどうかを決定することができる。
【００３９】
加えて、ＳＩＭカードの正しい電源オンシーケンスは、信号ケーブルＣＬＫ、ＲＳＴ及びＤＡＴの夫々が電源オンされる前に、電力ケーブルＶＳＩＭが電源オンされる。ＳＩＭカードがカードホルダに差し込まれ、プリセット位置に位置する場合に、ＳＩＭカードは、トラベルスイッチの接点に触れ、携帯電話機のＡＰは、ＧＰＩＯインターフェースを通じて、ＳＩＭカードが適所にあると検出することができる。従って、ＡＰは、ＳＩＭカードが正常に動作し始めることを可能にするために、ＳＩＭカードの電力ケーブルを、夫々の信号ケーブルが電源オンされる前に電源オンされるように制御することができる。従って、この実施形態において提供されるスマートカード接続回路は、実施形態において示されるホットスワッピング様態においてカードの取り外しを実施するのみならず、ホットスワッピング様態においてカードの挿入を実施することができる。すなわち、この実施形態におけるスマートカード接続回路は、ＳＩＭカードの挿入及び取り外しがより安全で、より速く、且つより便利であることを可能にしながら、ＳＩＭカードのホットスワップを実施することができる。
【００４０】
図３に示されるように、本発明のこの実施形態におけるトラベルスイッチにおいて、出力端は、プルアップ抵抗Ｒによって高位電圧へ接続されており、一方で、出力端は更に、接点Ｐによって接地される。カードホルダにおいてプリセット位置にＳＩＭカードがない場合に、接点Ｐの初期状態は閉じられており、トラベルスイッチの出力端は接地され、低位電圧が出力される。そして、ＳＩＭカードが適所にある場合に、ＳＩＭカードは、接点Ｐを開くよう接点Ｐに触れ、トラベルスイッチは高位電圧を出力する。
【００４１】
好適な解決法として、トラベルスイッチの出力端は更に、フィルタリングユニットへ接続される。フィルタリングユニットは、ＳＩＭカードが挿入又は取り外しされる場合に、トラベルスイッチによって出力される信号がジッタを伴うことを防ぐよう構成される。この実施形態において、フィルタリングユニットは、フィルタ抵抗Ｒ０及びフィルタキャパシタＣ０から成るＲＣフィルタである。他の実施形態では、何らかの他の形態のフィルタリングユニットがまた、採用されてよい。
【００４２】
図３に示されるように、この実施形態におけるスイッチングユニットはＦＳＡ２５６７である。ＦＳＡ２５６７は、ＳＩＭカードの通信レート要求を満足することができ、入力端と出力端との間の双方向信号が歪まないことを確かにする。トラベルスイッチの出力端は、ＦＳＡ２５６７のセレクトピンＳＥＬ（制御端）へ接続されている。ＳＥＬが高位電圧にある場合に、ＦＳＡ２５６７の入力端は第１の出力端へ接続され、ＳＥＬが低位電圧にある場合に、ＦＳＡ２５６７の入力端は第２の出力端へ接続される。
【００４３】
望ましくは、図２に示されるように、位相インバータがトラベルスイッチの出力端に配置される。トラベルスイッチの出力端は、位相インバータによって、ＭＯＤＥＭのＧＰＩＯインターフェースへ及びＡＰのＧＰＩＯインターフェースへ接続される。図２に示されるように、位相インバータは、入力／出力の２つのチャネルを有し、トラベルスイッチの出力端は、２つのチャネルに分けられて、位相インバータの２つの入力端へ夫々接続される。位相インバータの２つの出力端は、ＭＯＤＥＭ及びＡＰのＧＰＩＯインターフェースへ夫々接続される。このように、ＭＯＤＥＭ及びＡＰへ入力される信号は分けられてよい。さもなければ、ＭＯＤＥＭ及びＡＰのＧＰＩＯインターフェースがいずれも高位電圧にある場合に、ＭＯＤＥＭが突然に電源オフされるならば、ＭＯＤＥＭのＧＰＩＯインターフェースのレベル電圧は低位電圧になる。次いで、ＡＰのＧＰＩＯインターフェースのレベルもローへ引っ張られて、ＡＰに、ＳＩＭカードが適所にあるかどうかに関して誤った判断をさせる。一方、ＡＰが突然に電源オフされるならば、ＭＯＤＥＭも、ＳＩＭカードが適所にあるかどうかに関して誤った判断をする。
【００４４】
下記の表は、この実施形態において提供されるＳＩＭカード接続回路における夫々の部品の動作状態及びレベルと、ＳＩＭカードが適所にあるかどうかとの間の関係を載せており、０は低位電圧を表し、１は高位電圧を表す。
【表１】
2015522234.tif 000003
【００４５】
本発明によって提供されるスマートカード接続回路のロジック制御信号は、前述の表に載せられている実施様態に制限されない点が留意されるべきである。他の実施様態において、トラベルスイッチのための設定は、ＳＩＭカードが適所にある場合に低位電圧が出力され、ＳＩＭカードが適所にない場合に高位電圧が出力されるように、変更されてよい。その場合に、スイッチングユニットの第１の出力端及び第２の出力端の接続様態は交換される。すなわち、スイッチングユニットの第１の出力端は接地ケーブルへ接続され、第２の出力端はＭＯＤＥＭへ接続される。これは、ＳＩＭカードがカードホルダから取り外される場合に焼損することを防ぐという技術的効果をやはり達成する。
［実施形態３］
【００４６】
図４に示されるように、他の態様に従って、本発明は、前述の実施形態１及び実施形態２のいずれかに従うスマートカード接続回路が配置される電子デバイスを更に提供する。電子デバイスは、具体的に、携帯電話機（セルラー電話）であってよく、携帯電話機におけるＳＩＭカードが、ＳＩＭカードがカードホルダから取り外される場合に焼損することを防ぐために、スマートカード接続回路を使用する。
【００４７】
図４に示されるように、携帯電話機におけるカードホルダは、ＳＩＭカードを差し込むよう構成され、ＳＩＭカード上の夫々の接点シートは、カードホルダによってスイッチングユニットへ接続され、更には、スイッチングユニットの第１の出力端によってＭＯＤＥＭへ接続される。ＳＩＭカードがカードホルダにおけるプリセット位置から離れる場合に、トラベルスイッチは、第２の出力端へ切り替わるようスイッチングユニットを制御し、カードホルダ上の夫々の信号ケーブルピンは、ＳＩＭカードがカードホルダから取り外される場合に焼損することを防ぐために、カードホルダ上の電力ケーブルピンがスイッチングユニットによって接地される前にスイッチングユニットによって接地される。
【００４８】
この実施形態において、携帯電話機はＡＰを更に含む。ＳＩＭカードがカードホルダに差し込まれる場合に、ＡＰは、ＧＰＩＯインターフェースを通じて、ＳＩＭカードが適所にあることを検出してよく、そして、ＡＰは、ＳＩＭカードが正常に動作し始めることを可能にするために、ＳＩＭカード上の電力ケーブルを、夫々の信号ケーブルが電源オンされる前に電源オンされるよう制御することができる。従って、本発明のこの実施形態において提供される電子デバイスは、スマートカードのホットスワップを実施する。
【００４９】
電子デバイスはまた、タブレットコンピュータ（パッド）であってよい。ＳＩＭカードは、タブレットコンピュータに差し込まれ、そして、ＳＩＭカードは、ネットワーク接続のために使用されてよい。従って、スマートカード接続回路はまた、ＳＩＭカードがカードホルダから取り外される場合に焼損することを防ぐよう、タブレットコンピュータにおいて使用されてよい。
【００５０】
本発明のこの実施形態において提供される電子デバイスは、前述の実施形態において提供されるスマートカード接続回路と同じ技術的特徴を有し、従って、やはり、同じ技術的効果を生み且つ同じ技術的問題を解消することができる。
【００５１】
前述の記載は、ただ単に本発明の具体的な実施形態であり、本発明の保護範囲を制限するよう意図されない。本発明において開示される技術的範囲内で当業者によって容易に考え出されるあらゆる変形又は置換は、本発明の保護範囲内にあるべきである。従って、本発明の保護範囲は、特許請求の範囲の保護範囲に従うべきである。
【図１】
2015522234.tif 000004
【図２】
2015522234.tif 000005
【図３】
2015522234.tif 000006
【図４】
2015522234.tif 000007
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
電子デバイスのスマートカード接続回路であって、
カードホルダ、トラベルスイッチ及びスイッチングユニットを有し、
前記カードホルダ上の電力ケーブルピン及び夫々の信号ケーブルピンは、前記スイッチングユニットの入力端で対応するインターフェースへ接続され、
前記トラベルスイッチの接点は、前記カードホルダに位置し、前記トラベルスイッチの出力端は、前記スイッチングユニットの制御端へ接続され、
前記カードホルダにおいてプリセット位置にあるスマートカードが前記プリセット位置から離れる場合に、前記スマートカードは、前記トラベルスイッチの前記接点から離れ、前記トラベルスイッチは、第２の出力端へ切り替わるよう前記スイッチングユニットを制御し、前記カードホルダ上の夫々の信号ケーブルピンは、前記カードホルダ上の前記電力ケーブルピンが前記スイッチングユニットによって接地される前に、前記スイッチングユニットによって接地される、
スマートカード接続回路。
【請求項２】
前記カードホルダにおける前記プリセット位置にスマートカードがある場合に、該スマートカードは、前記トラベルスイッチの前記接点に触れ、前記トラベルスイッチは、第１の出力端へ切り替わるよう前記スイッチングユニットを制御し、前記カードホルダ上の前記電力ケーブルピン及び夫々の信号ケーブルピンは、前記スイッチングユニットによって前記電子デバイスのモデムへ接続される、
請求項１に記載のスマートカード接続回路。
【請求項３】
前記第２の出力端で、第１の抵抗は、前記カードホルダ上の夫々の信号ケーブルピンと接地ケーブルとの間に直列に接続され、第２の抵抗は、前記カードホルダ上の前記電力ケーブルピンと前記接地ケーブルとの間に直列に接続され、前記第１の抵抗の抵抗値は、前記第２の抵抗の抵抗値よりも小さい、
請求項１に記載のスマートカード接続回路。
【請求項４】
前記トラベルスイッチの前記出力端は更に、前記電子デバイスのモデムの汎用入力／出力ＧＰＩＯインターフェースへ接続される、
請求項１乃至３のうちいずれか一項に記載のスマートカード接続回路。
【請求項５】
前記トラベルスイッチの前記出力端は更に、前記電子デバイスのアプリケーションプロセッサのＧＰＩＯインターフェースへ接続される、
請求項４に記載のスマートカード接続回路。
【請求項６】
前記トラベルスイッチの前記出力端は、位相インバータによって、前記モデムのＧＰＩＯインターフェースへ及び前記アプリケーションプロセッサのＧＰＩＯインターフェースへ接続される、
請求項５に記載のスマートカード接続回路。
【請求項７】
前記トラベルスイッチにおいて、前記出力端は、プルアップ抵抗によって高位電圧へ接続され、前記出力端は更に、前記接点によって接地され、
前記接点が開かれている場合に、前記トラベルスイッチは高位電圧を出力し、
前記接点が閉じられている場合に、前記トラベルスイッチは低位電圧を出力する、
請求項１乃至６のうちいずれか一項に記載のスマートカード接続回路。
【請求項８】
前記トラベルスイッチの前記出力端は、フィルタリングユニットへ接続される、
請求項７に記載のスマートカード接続回路。
【請求項９】
前記スイッチングユニットは、ロジック回路であり、前記カードホルダ上の夫々のピンは、前記スイッチングユニットの前記入力端にある夫々の対応するピンへ接続される、
請求項１乃至８のうちいずれか一項に記載のスマートカード接続回路。
【請求項１０】
前記スマートカードは、ＳＩＭカードである、
請求項１乃至９のうちいずれか一項に記載のスマートカード接続回路。
【手続補正２】
【補正対象書類名】明細書
【補正対象項目名】０００３
【補正方法】変更
【補正の内容】
【０００３】
エレクトロニクス技術の持続的な発展により、携帯電話機及びタブレットコンピュータのような電子デバイスは、人々の日々の生活において一般的なコミュニケーションツールになりつつある。一例として携帯電話機を用いると、加入者識別モジュール（ＳＩＭ）カードは、携帯電話機における重要なコンポーネントであり、携帯電話機内のカードホルダに差し込まれる。ＳＩＭカードには、電力ケーブル、接地ケーブル及び夫々の信号ケーブルへ接続するために使用される接点シートが配置されている。ＳＩＭカードがカードホルダに差し込まれる場合に、それらの接点シートは、カードホルダ上の対応するピンへ電気的に接続され、更には、カードホルダによって携帯電話機のモデムへ接続される。
【手続補正３】
【補正対象書類名】明細書
【補正対象項目名】００１８
【補正方法】変更
【補正の内容】
【００１８】
第１のとり得る実施様態において、前記電子デバイスは、携帯電話機又はタブレットコンピュータである。
【手続補正４】
【補正対象書類名】明細書
【補正対象項目名】００２９
【補正方法】変更
【補正の内容】
【００２９】
カードホルダにおけるプリセット位置にＳＩＭカードがある場合に、ＳＩＭカードは、トラベルスイッチの接点に触れ、トラベルスイッチは、第１の出力端（１ＶＳＩＭ、１ＲＳＴ、１ＣＬＫ及び１ＤＡＴ）へ切り替わるようスイッチングユニットを制御し、カードホルダ上の電力ケーブルピン及び夫々の信号ケーブルピンは、スイッチングユニットによって携帯電話機のＭＯＤＥＭへ接続される。
【手続補正５】
【補正対象書類名】明細書
【補正対象項目名】００３０
【補正方法】変更
【補正の内容】
【００３０】
カードホルダにおいてプリセット位置にあるＳＩＭカードがプリセット位置から離れる場合に、ＳＩＭカードは、トラベルスイッチの接点がその元の位置へ戻るようにトラベルスイッチの接点から離れ、トラベルスイッチは、第２の出力端（２ＶＳＩＭ、２ＲＳＴ、２ＣＬＫ及び２ＤＡＴ）へ切り替わるようスイッチングユニットを制御し、カードホルダ上の夫々の信号ケーブルピンは、カードホルダ上の電力ケーブルピンがスイッチングユニットによって接地される前に、スイッチングユニットによって接地される。
【手続補正６】
【補正対象書類名】明細書
【補正対象項目名】００３８
【補正方法】変更
【補正の内容】
【００３８】
更に、トラベルスイッチの出力端は更に、携帯電話機のアプリケーションプロセッサ（ＡＰ）のＧＰＩＯインターフェースへ接続され、それにより、ＡＰは、ＳＩＭカードが適所にあるかどうかを決定することができる。
【手続補正７】
【補正対象書類名】明細書
【補正対象項目名】００４９
【補正方法】変更
【補正の内容】
【００４９】
電子デバイスはまた、タブレットコンピュータであってよい。ＳＩＭカードは、タブレットコンピュータに差し込まれ、そして、ＳＩＭカードは、ネットワーク接続のために使用されてよい。従って、スマートカード接続回路はまた、ＳＩＭカードがカードホルダから取り外される場合に焼損することを防ぐよう、タブレットコンピュータにおいて使用されてよい。
【国際調査報告】
2015522234.tif 000008
2015522234.tif 000009
2015522234.tif 000010
2015522234.tif 000011
2015522234.tif 000012
2015522234.tif 000013